(57)【要約】 【課題】ソケットの係合孔に吊り下げ具を構成する対向状の挿込み部を強く押込むと、若干内側方に押圧されながら確実に両部材を押し込み嵌着することができるソケット用吊り下げ具を提供する。【解決手段】吊り下げ用孔部１と商品情報を記載したシールその他プレートなどを貼着せしめる表示部とを有する板状基板部の下方部に、ソケットを構成する四辺形状の係合孔に嵌挿可能な幅員の挿込み部を対向状に形成し、且前記対向状の挿込み部の下方は接続部を介して接続せしめ、前記対向状の挿込み部と接続部との内側部分を空隙部とし、前記挿込み部の表面に前記係合孔の側面部に設けた凹部に嵌挿する突起を設けたソケットの吊り下げ具を形成し、前記吊り下げ具の対向状の挿込み部を前記係合孔に強く押込み組立てると共に、組立て後前記対向状の挿込み部の上方部分をカットし、カット後前記ソケットと吊り下げ具とを分離する。【選択図】       図１
2006130584.tif 000002
【特許請求の範囲】
【請求項１】
吊り下げ用孔部１と商品情報を記載したシールその他プレートなどを貼着せしめる表示部とを有する板状基板部の下方部に、ソケットを構成する四辺形状の係合孔に嵌挿可能な幅員の挿込み部を対向状に形成し、且前記対向状の挿込み部の下方は接続部を介して接続せしめ、前記対向状の挿込み部と接続部との内側部分を空隙部とし、前記挿込み部の表面に前記係合孔の側面部に設けた凹部に嵌挿する突起を設けたソケットの吊り下げ具を形成し、前記吊り下げ具の対向状の挿込み部を前記係合孔に強く押込み組立てると共に、組立て後前記対向状の挿込み部の上方部分をカットし、カット後前記ソケットと吊り下げ具とを分離することを特徴とするソケット用吊り下げ具。
【請求項２】
上方部に吊り下げ用孔部を設け、前記孔部の下方に商品情報を記載したシールその他プレートなどを貼着せしめる表示部とを有する板状基板部を形成し、前記板状基板部の下方部を延設して接続基板部を形成し、前記接続基板部の下方部を延設してソケットを構成する係合孔に嵌挿可能な幅員にして、且若干の厚さを有する挿込み部を対向状に形成し、且前記対向状の挿込み部の下方は若干の厚さの接続部を介して接続せしめ、前記対向状の挿込み部と接続部との内側部分を空隙部とし、前記挿込み部の一方もしくは両方の表面に前記係合孔の内側面に設けた凹部に嵌挿する突起を設けた吊り下げ具を形成し、前記の吊り下げ具の対向状の挿込み部を前記係合孔に強く押込み組立てると共に、組立て後前記ソケットの係合孔より若干飛出している前記挿込み部の上方部分をカットし、カット後前記ソケットと吊り下げ具とを分離することを特徴とするソケット用吊り下げ具。
【請求項３】
前記対向状の両挿込み部の外側面の幅員が、前記係合孔を構成する側面部の幅員より僅小の幅員をもって形成せしめることを特徴とする請求項１又は請求項２記載のソケット用吊り下げ具。
【請求項４】
前記板状基板部の下方部と対向状の挿込み部と接続部とをもって囲まれた内側部分の空隙部に、前記挿込み部の何れか一方の挿込み部の内側に、前記空隙部内に前記空隙部を塞がない程度に補強リブを突設せしめることを特徴とする請求項１又は請求項２又は請求項３記載のソケット用吊り下げ具。
【発明の詳細な説明】
【技術分野】
【０００１】
本発明は、ソケット用吊り下げ具の技術分野に関するものである。
【背景技術】
【０００２】
ソケットは、店頭の陳列棚等の懸架部材に引掛け販売する手法が採用されている。
【０００３】
そのため前記ソケットは、比較的重量があるので、一旦吊り下げ具に接続されると両部材が容易に分離してはならないという課題があった。
【０００４】
さらに特開２００１−２０５５８０特許公開公報（Ｐ２００１−２０５５８０Ａ）（発明の名称  ソケットレンチのソケット吊り下げ具）には、ハンドル１とソケット３とから成る下記構造のソケットレンチ４の該ソケット３を吊り下げるものであって、吊り下げ部５ａを有する基体５にはソケット３の連結凹部３ｂが被嵌される大きさの連結部６が設けられ、この連結部６はその一部を除去することで大きさの異なる他のソケット３の連結凹部３ｂが被嵌されるように構成されたソケットレンチのソケット吊り下げ具が開示されている。
【特許文献１】特開２００１−２０５５８０特許公開公報
【発明の開示】
【発明が解決しようとする課題】
【０００５】
従来のソケット吊り下げ具（特許文献１）は、ソケット３の連結凹部３ｂの形状が異なった場合でも対応して使用可能にするため、前記連結部６の一部を除去することを構成上の特徴としている（段落番号［００２１］［００４０］［００４４］参照）。
【０００６】
さらに前記した従来のソケットレンチのソケット吊り下げ具は、ソケットと吊り下げ具とを圧着状態で被嵌した後分離するには、段落番号［００４９］に説明されているように「従部８を構成する第一突片９及び第二突片１０と基体５との連設部に割り溝９ｂ、１０ｂが形成されているから、連結部６を構成する従部８の除去が簡易に行える故に、…と」との記載から連設部に割り溝９ｂ、１０ｂを形成することによって両部材の分離を容易にしている。
【０００７】
しかるに本発明のソケット用吊り下げ具は、ソケットの係合孔に吊り下げ具を構成する対向状の挿込み部を強く押込むと、前記対向状の挿込み部と接続部との内側部分が空隙部となっているので、若干内側方に押圧されながら確実に両部材を押し込み嵌着することができる。
【０００８】
さらに本発明のソケット用吊り下げ具は、ソケットと吊り下げ具とを前記の手法をもって接続せしめて、両部材が容易に分離することがなく、前記ソケットが陳列棚等から落下することがないようにした。
【０００９】
また本発明のソケットの吊り下げ具は、ソケットと吊り下げ具とを前記の手法をもって接続せしめた後、購入者が前記両部材を分離するときは、ソケットの係合孔より飛出している前記対向状の挿込み部の上方部をペンチ又はニッパー等の工具をもってカットし、カット後、吊り下げ具を握持して板状面と同一方向に左右に揺動してやると、前記カッティングされた挿込み部の上端部が容隙部内に押圧されて変形し、しかも前記挿込み部の上方の上端部が板状基板部の下方部のカッティングされた端縁部の内側部に係止され飛出が阻止された状態を作り出すことによって吊り下げ具を前記ソケットの係合孔から容易に分離できるようにした。
【課題を解決するための手段】
【００１０】
請求項１記載のソケット用吊り下げ具は、吊り下げ用孔部１と商品情報を記載したシールその他プレートなどを貼着せしめる表示部２とを有する板状基板部３の下方部に、ソケットＳを構成する四辺形状の係合孔１２に嵌挿可能な幅員の挿込み部９，１０を対向状に形成し、且前記対向状の挿込み部９，１０の下方は接続部１１を介して接続せしめ、前記対向状の挿込み部９、１０と接続部１１との内側部分を空隙部１３とし、前記挿込み部９，１０の表面に前記係合孔１２の側面部１５に設けた凹部１６に嵌挿する突起１４を設けたソケットＳの吊り下げ具Ａを形成し、前記吊り下げ具Ａの対向状の挿込み部９，１０を前記係合孔１２に強く押込み組立てると共に、組立て後前記対向状の挿込み部９，１０の上方部分をカットし、カット後前記ソケットＳと吊り下げ具Ａとを分離することを特徴とするソケット用吊り下げ具である。
【００１１】
請求項２記載のソケット用吊り下げ具は、上方部に吊り下げ用孔部１を設け、前記孔部１１の下方に商品情報を記載したシールその他プレートなどを貼着せしめる表示部２とを有する板状基板部３を形成し、前記板状基板部３の下方部を延設して接続基板部１１を形成し、前記接続基板部の下方部を延設してソケットＳを構成する係合孔１２に嵌挿可能な幅員にして、且若干の厚さを有する挿込み部９，１０を対向状に形成し、且前記対向状の挿込み部９，１０の下方は若干の厚さの接続部１１を介して接続せしめ、前記対向状の挿込み部９，１０と接続部１１との内側部分を空隙部１３とし、前記挿込み部９，１０の一方もしくは両方の表面に前記係合孔１２の内側面に設けた凹部１６に嵌挿する突起１４を設けた吊り下げ具Ａを形成し、前記の吊り下げ具Ａの対向状の挿込み部９，１０を前記係合孔１２に強く押込み組立てると共に、組立て後前記ソケットＳの係合孔１２より若干飛出している前記挿込み部９，１０の上方部分をカットし、カット後前記ソケットＳと吊り下げ具Ａとを分離することを特徴とするソケット用吊り下げ具である。
【００１２】
請求項３記載のソケット用吊り下げ具は、前記対向状の両挿込み部９，１０の外側面の幅員が、前記係合孔１２を構成する側面部１５の幅員より僅小の幅員をもって形成せしめることを特徴とする請求項１又は請求項２記載のソケット用吊り下げ具である。
【００１３】
請求項４記載のソケット用吊り下げ具は、前記板状基板部３の下方部と対向状の挿込み部９、１０と接続部１１とをもって囲まれた内側部分の空隙部１３に、前記挿込み部９、１０の何れか一方の挿込み部の内側に、前記空隙部１３内に前記空隙部１３を塞がない程度に補強リブ１７を突設せしめることを特徴とする請求項１又は請求項２又は請求項３記載のソケット用吊り下げ具である。
【発明の効果】
【００１４】
請求項１記載のソケット用吊り下げ具は、吊り下げ用孔部１と商品情報を記載したシールその他プレートなどを貼着せしめる表示部２とを有する板状基板部３の下方部に、ソケットＳを構成する四辺形状の係合孔１２に嵌挿可能な幅員の挿込み部９，１０を対向状に形成し、且前記対向状の挿込み部９，１０の下方は接続部１１を介して接続せしめ、前記対向状の挿込み部９、１０と接続部１１との内側部分を空隙部１３とし、前記挿込み部９，１０の表面に前記係合孔１２の側面部１５に設けた凹部１６に嵌挿する突起１４を設けたソケットＳの吊り下げ具Ａを形成し、前記吊り下げ具Ａの対向状の挿込み部９，１０を前記係合孔１２に強く押込み組立てると共に、組立て後前記対向状の挿込み部９，１０の上方部分をカットし、カット後前記ソケットＳと吊り下げ具Ａとを分離するソケット用吊り下げ具なので、前記吊り下げ具を構成する対向状の挿込み部と下方の接続部をソケットの係合孔に強く押し込むとき前記対向状の挿込み部と下方の接続部とによって囲まれ形成の空隙部が若干変形して、吊り下げ具のソケットへの嵌挿を容易にし、さらに嵌挿すると前記挿込み部と接続部とがソケットの係合孔に確実に、しかも強固に嵌着し、陳列棚等に吊り下げていても、ソケットが分離しない利点がある。
【００１５】
さらに本発明は、ソケットの係合孔に嵌着している吊り下げ具の対向状の挿込み部の中、一方の挿込み部の上方部をペンチもしくはニッパー等でカットし、その後吊り下げ具を左右に揺動するとソケットと吊り下げ具とが容易に分離できる利点を有している。
【００１６】
請求項２記載のソケット用吊り下げ具は、上方部に吊り下げ用孔部１を設け、前記孔部１１の下方に商品情報を記載したシールその他プレートなどを貼着せしめる表示部２とを有する板状基板部３を形成し、前記板状基板部３の下方部を延設して接続基板部１１を形成し、前記接続基板部の下方部を延設してソケットＳを構成する係合孔１２に嵌挿可能な幅員にして、且若干の厚さを有する挿込み部９，１０を対向状に形成し、且前記対向状の挿込み部９，１０の下方は若干の厚さの接続部１１を介して接続せしめ、前記対向状の挿込み部９，１０と接続部１１との内側部分を空隙部１３とし、前記挿込み部９，１０の一方もしくは両方の表面に前記係合孔１２の内側面に設けた凹部１６に嵌挿する突起１４を設けた吊り下げ具Ａを形成し、前記吊り下げ具Ａの対向状の挿込み部９，１０を前記係合孔１２に強く押込み組立てると共に、組立て後前記ソケットＳの係合孔１２より若干飛出している前記挿込み部９，１０の上方部分をカットし、カット後前記ソケットＳと吊り下げ具Ａとを分離するソケット用吊り下げ具なので、ソケットの係合孔に吊り下げ具を構成している対向状の挿込み部と接続部とを強く押込むと強固に嵌着し、陳列棚等の吊り下げ販売時に、不意にソケットが吊り下げ具から離脱したりしない。
【００１７】
さらに本発明は、係合孔より飛出しているリブが設けられていない一方の対向状の挿込み部をニッパーもしくはペンチ等でカッティングし、次に吊り下げ具を握持して左右に回動してやると、カットされた一方の挿込み部が空隙部内に傾斜し抜き易くなり、そのまま吊り下げ具を上方に引き上げると、ソケットと吊り下げ具とが容易に分離できる。
【００１８】
請求項３記載のソケット用吊り下げ具は、前記対向状の両挿込み部９，１０の外側面の幅員が、前記係合孔１２を構成する側面部１５の幅員より僅小の幅員をもって形成せしめる吊り下げ具なので、前記対向状の挿込み部と接続部との係合孔への嵌着をスムーズにして、作業性を良好にする利点を有している。
【００１９】
請求項４記載のソケット用吊り下げ具は、前記板状基板部３の下方部と対向状の挿込み部９、１０と接続部１１とをもって囲まれた内側部分の空隙部１３に、前記挿込み部９、１０の何れか一方の挿込み部の内側に、前記空隙部１３内に前記空隙部１３を塞がない程度に補強リブ１７を突設せしめる吊り下げ具なので、対向状の挿込み部と接続部との強度をより一層確実にした。
【発明を実施するための最良の形態】
【００２０】
請求項１、２、３、４に係る本発明のソケット用吊り下げ具は、共通しているので、以下のとおり一括して本発明実施するための最良の形態を図面に依拠して説明する。
【００２１】
図面においてＡは吊り下げ具、Ｓはソケットである。
【００２２】
第１に吊り下げ具Ａにつき説明する。
【００２３】
吊り下げ具Ａは通常一体成型にして、且合成樹脂製であり、上方部に吊り下げ用孔部１を設け、その孔部１の下方に薄い板状の表示部２を設ける。前記表示部２は商品情報等を記載せしめたシールやプレート等を貼着せしめたり、あるいは印刷を施すものである。
【００２４】
そして前記表示部２は表面４と裏面５とを有している。
【００２５】
上記の孔部１付き表示部２をもって板状基板部３とする。
【００２６】
前記基板部３の下方部に、表示部２の表面４及び裏面５より前記表示部２の幅員よりやや短く且基板部３の下方部に前記表示部２の表面４及び裏面５よりも外側方に対称的に若干膨出した突状の接続基部６を形成する。
【００２７】
さらに前記上方接続基部６を構成する左側端部７と右側端部８を前記表示部２の表面４及び裏面５の各面と直角状に垂下する下方接続基部６ａを形成し、前記下方接続基部６ａの下方端部を内側方に折曲して下方台部６ｂ、６ｂを夫々形成する。さらに前記両下方台部６ｂ、６ｂを直角状に折曲延設せしめ、若干の肉厚を有し、且幅員が同じ対向状の挿込み部９、１０を延設する。さらに前記両挿込み部９、１０の下方端部に、前記下方端部を直角状に折曲し接続せしめて所定の厚さの接続部１１を形成する。
【００２８】
そして前記対向状の両挿込み部９、１０の幅員と長さは、後述するソケットＳを構成する断面が四辺形状の係合孔１２の幅員と深さと同程度とする。
【００２９】
さらに前記両挿込み部９、１０の幅員は、前記ソケットＳの係合孔１２の一辺の長さより僅かに短い長さとする。そのため両挿込み部９、１０は係合孔１２から嵌着後容易に離脱しない。
【００３０】
前記両挿込み部９、１０と接続部１１とによって囲まれた内側は、空隙部１３が形成される。
【００３１】
前記両挿込み部９、１０の何れか一方の側面に、突起１４を通常一個形成する。
【００３２】
前記突起１４は、ソケットＳの係合孔１２に嵌着したとき、係合孔１２を構成する各辺の側面部１５の所定個所に設けた凹部１６と嵌挿する。従って前記係合孔１２に前記挿込み部９、１０と接続部１１が嵌着したとき前記突起１４と凹部１６が嵌合する。
【００３３】
１７は補強リブであり以下の構造を有している。このリブ１７は前記板状基板部３の下方に設けられた接続基部６の一部の下方部分と、前記両挿込み部９、１０の何れか一方の挿込み部１０の内側部より前記空隙部１３内に前記空隙部１３を塞がない程度に前記板状基板部３と同一線上にして突設する。このリブ１７の厚さは薄い。
【００３４】
つぎにソケットＳにつき説明する。本発明のソケットＳを構成する係合孔１２は断面が四辺形状をしており、各辺を構成する各側面部１５の所定個所に前記した凹部１６が夫々形成されている。各凹部１６に前記挿込み部９、１０と接続部１１とが係合孔１２に嵌着したとき嵌合する。
【００３５】
１８はレンチを挿込む嵌挿孔である。
【００３６】
前記ソケットＳと吊り下げ具Ａとは、治具等を介して挿込み部９、１０等が係合孔１２に押込まれ嵌着せしめ組立てる。そして前記吊り具Ａ付きソケットは陳列棚Ｂの引掛け部材１９に孔部１を挿通して吊り下げられる。
【００３７】
まだ本発明製品の購入者は、つぎの工程でソケットＳと吊り下げ具Ａとを分離する。
【００３８】
係合孔１２より飛出している上方接続基部６の中、リブ１７が形成していない挿込み部９より上方の接続基部６をニッパーもしくはペンチ等でカットする。
【００３９】
カット後は、吊り下げ具Ａを握持して図３のように左右に回動すると、カットされた接続基部６が、カットしていない対向する挿込み部１０のリブ１７の方向に押込まれ狭められる。前記のように挿込み部９は、狭められた状態のままとなっているので、吊り下げ具Ａを上方に引張ればソケットＳと吊り下げ具Ａは容易に分離する。分離したらソケットＳはそのまま使用が可能である。
【００４０】
なお、前記のようにカットされた接続基部６の一方を上方接続端部６ｃとし、他方を下方接続端部６ｄとする。この両端部６ｃ、６ｄの関係は、ペンチ等でカットされ板状基板部３を握持し左右に揺動させると、下方接続端部６ｄが図３、４に図示の如く空隙部１３内に傾斜し、上方接続端部６ｃの内側に位置する。
【００４１】
上記のように下方接続端部６ｄが空隙部１３内に傾斜することによって、吊り下げ具ＡとソケットＳとの分離が著しく容易となる。
【図面の簡単な説明】
【００４２】
【図１】本発明ソケット用吊り下げ具の吊り下げ具とソケットが嵌着前の斜視図である。
【００４３】
【図２】同吊り下げ具がレンチに嵌着した状態の縦断正面図である。
【００４４】
【図３】同吊り下げ具をソケットから離脱直前の状態を示す縦断正面図である。
【００４５】
【図４】同吊り下げ具におけるソケットと吊り下げ具とが分離した状態を示す縦断状態のソケットと吊り下げ具の正面図である。
【００４６】
【図５】同ソケットを嵌着せしめた吊り下げ具を陳列棚に吊り下げたときの斜面図である。
【００４７】
【図６】同吊り具を陳列棚に吊り下げた状態の側面図である。
【符号の説明】
【００４８】
Ａ      吊り下げ具
Ｓ      ソケット
Ｂ      陳列棚
１      孔部
２      表示部
３      板状基板部
４      表面
５      裏面
６      接続基板部
６ａ    下方接続基部
６ｂ    下方台部
６ｃ    上方接続端部
６ｄ    下方接続端部
７      左側端部
８      右側端部
９      挿込み部
１０    挿込み部
１１    接続部
１２    係合孔
１３    空隙部
１４    突起
１５    側面部
１６    凹部
１７    リブ
１８    嵌挿孔
１９    引掛け部材
【図４】
2006130584.tif 000003
【図１】
2006130584.tif 000004
【図２】
2006130584.tif 000005
【図３】
2006130584.tif 000006
【図５】
2006130584.tif 000007
【図６】
2006130584.tif 000008
【手続補正書】
【提出日】平成16年11月4日(2004.11.4)
【手続補正１】
【補正対象書類名】特許請求の範囲
【補正対象項目名】請求項１
【補正方法】変更
【補正の内容】
【請求項１】
吊り下げ用孔部と商品情報を記載したシールその他プレートなどを貼着せしめる表示部とを有する板状基板部の下方部に、ソケットを構成する四辺形状の係合孔に嵌挿可能な幅員の挿込み部を対向状に形成し、且前記対向状の挿込み部の下方は接続部を介して接続せしめ、前記対向状の挿込み部と接続部との内側部分を空隙部とし、前記挿込み部の表面に前記係合孔の側面部に設けた凹部に嵌挿する突起を設けたソケットの吊り下げ具を形成し、前記吊り下げ具の対向状の挿込み部を前記係合孔に強く押込み組立てると共に、組立て後前記対向状の挿込み部の上方部分をカットし、カット後前記ソケットと吊り下げ具とを分離することを特徴とするソケット用吊り下げ具。